(57)【要約】  【課題】  光ディスク装置において、安定な高速記録再生を可能にする技術の提供。  【解決手段】  光ヘッド内に、レーザーダイオードを駆動する回路と併せ、光ディスクからの反射レーザー光に基づくアナログ電気信号をサンプルホールドする第２の回路と、該サンプルホールドした信号をデジタル信号に変換する第３の回路とを備えた構成とし、光ヘッド内でデジタル化した信号を時分割で装置本体側に伝送する。また、上記第１の回路と第２の回路と第３の回路とを１つの基板内または１つのＩＣ内に形成する。【選択図】  図１
2005038572.tif 000002
【特許請求の範囲】
【請求項１】
光ディスクに対し光ヘッドからレーザー光を照射し情報の記録、再生のいずれか一方または両方を行う光ディスク装置であって、
上記レーザー光を発生するレーザーダイオードと、該レーザー光を集束して上記光ディスクの情報記録面に照射する光学系と、上記光ディスクからの反射レーザー光を上記光学系を介して受光しアナログ電気信号に変換して出力する光検出部と、上記レーザーダイオードを駆動する第１の回路と、上記アナログ電気信号をサンプルホールドする第２の回路と、上記サンプルホールドされた信号をデジタル信号に変換し出力する第３の回路とを有して成る光ヘッドと、
上記光ヘッドからの上記デジタル信号をシリアルインターフェースを介して受け取り、装置制御用の制御信号を形成する制御部と、
を備えた構成を特徴とする光ディスク装置。
【請求項２】
光ディスクに対し光ヘッドからレーザー光を照射し情報の記録、再生のいずれか一方または両方を行う光ディスク装置であって、
上記レーザー光を発生するレーザーダイオードと、該レーザー光を集束して上記光ディスクの情報記録面に照射する光学系と、上記光ディスクからの反射レーザー光を上記光学系を介して受光しアナログ電気信号に変換して出力する光検出部と、上記レーザーダイオードを駆動する第１の回路と、上記アナログ電気信号をサンプルホールドする第２の回路と、上記サンプルホールドされた信号をデジタル信号に変換する第３の回路と、上記デジタル信号を時分割し外部に出力するシリアルインターフェース部とを有して成る光ヘッドと、
上記光ヘッドからの上記デジタル信号をシリアルインターフェースを介して受け取り、装置制御用の制御信号を形成する制御部と、
を備えた構成を特徴とする光ディスク装置。
【請求項３】
光ディスクに対し光ヘッドからレーザー光を照射し情報の記録、再生のいずれか一方または両方を行う光ディスク装置であって、
上記レーザー光を発生するレーザーダイオードと、該レーザー光を集束して上記光ディスクの情報記録面に照射する光学系と、上記光ディスクからの反射レーザー光を上記光学系を介して受光しアナログ電気信号に変換して出力する光検出部と、上記レーザーダイオードを駆動する第１の回路と、上記アナログ電気信号をサンプルホールドする第２の回路と、上記サンプルホールドされた信号をデジタル信号に変換する第３の回路と、上記アナログ電気信号に基づき、上記光学系の状態、再生信号及びサーボ信号を検出する第４の回路と、上記レーザーダイオードから発射されるレーザー光の強さを制御する第５の回路と、上記第４の回路と上記第５の回路の接続を切換える第６の回路とを有する光ヘッドと、
上記光ヘッドからの上記デジタル信号をシリアルインターフェースを介して受け取り、装置制御用の制御信号を形成する制御部と、
を備えた構成を特徴とする光ディスク装置。
【請求項４】
上記第１の回路、上記第２の回路及び上記第３の回路は、１つの基板上または１つのＩＣ内に構成される請求項１、２または３に記載の光ディスク装置。
【請求項５】
上記第１の回路、上記第２の回路、上記第３の回路及び上記第６の回路は、１つの基板上または１つのＩＣ内に構成される請求項３に記載の光ディスク装置。
【請求項６】
光ディスクに対しレーザー光を照射して情報の記録または再生を行う光ディスク装置の光ヘッドであって、
上記レーザー光を発生するレーザーダイオードと、
上記レーザー光を集束して上記光ディスクの情報記録面に照射する光学系と、
上記光ディスクからの反射レーザー光を上記光学系を介して受光しアナログ電気信号に変換して出力する光検出部と、
上記レーザーダイオードを駆動する第１の回路と、
上記アナログ電気信号をサンプルホールドする第２の回路と、
上記サンプルホールドされた信号をデジタル信号に変換する第３の回路と、
を備え、上記光ディスクにレーザー光を照射するとともに、上記反射レーザー光から検出されるデータをデジタル信号としてディスク装置本体側に伝送する構成としたことを特徴とする光ヘッド。
【請求項７】
光ディスクに対しレーザー光を照射して情報の記録または再生を行う光ディスク装置の光ヘッドであって、
上記レーザー光を発生するレーザーダイオードと、
上記レーザー光を集束して上記光ディスクの情報記録面に照射する光学系と、
上記光ディスクからの反射レーザー光を上記光学系を介して受光しアナログ電気信号に変換して出力する光検出部と、
上記レーザーダイオードを駆動する第１の回路と、
上記アナログ電気信号をサンプルホールドする第２の回路と、
上記サンプルホールドされた信号をデジタル信号に変換する第３の回路と、
上記デジタル信号を時分割し外部に出力するシリアルインターフェース部と、
を備え、上記光ディスクにレーザー光を照射するとともに、上記反射レーザー光から検出する複数のデータを、デジタル信号として時分割でディスク装置本体側に伝送する構成としたことを特徴とする光ヘッド。
【請求項８】
上記第１の回路、上記第２の回路及び上記第３の回路は、１つの基板上または１つのＩＣ内に構成される請求項６または請求項７に記載の光ヘッド。
【請求項９】
光ディスクに対しレーザー光を照射して情報の記録または再生を行う光ディスク装置の検出信号処理方法であって、
上記光ディスクからの反射レーザー光を受光し光ヘッド内でアナログ電気信号に変換するステップと、
上記アナログ電気信号を光ヘッド内でサンプルホールドするステップと、
上記サンプルホールドされた信号を光ヘッド内でデジタル信号に変換するステップと、
上記デジタル信号をシリアルインターフェースを介し時分割で装置本体側の制御部に伝送するステップと、
装置本体側において、該デジタル信号に基づき制御信号を形成するステップと、
を経て、上記光ヘッドからの検出信号を処理する検出信号処理方法。
【発明の詳細な説明】
【技術分野】
【０００１】
本発明は、光ディスク装置に係り、特に高速記録再生に対応するための信号処理技術に関する。
【背景技術】
【０００２】
本発明に関連する従来技術としては、例えば、特許文献１に記載されたものがある。特許文献１には、２個のサンプルホールド回路付きの増幅器を含む光ヘッドが記載されている。
【０００３】
【特許文献１】特開平７−３２０２８２号公報
【発明の開示】
【発明が解決しようとする課題】
【０００４】
上記特許文献記載の従来技術は、サンプルホールドした信号をアナログ信号のまま光ヘッドから出力する技術であり、光ヘッドから検出信号が、装置本体側の制御部にも該アナログ信号の状態で伝送される場合には、伝送路上においてインピーダンスやノイズなどの影響を受け易く、波形歪が発生することも予想される。
本発明の課題点は、上記従来技術の状況に鑑み、光ディスク装置において、光ヘッドから検出信号を、装置本体側の制御部に対し、波形歪の発生を抑えた状態で伝送できるようにし、高速記録に対応できるようにすることである。
本発明の目的は、かかる課題点を解決できる技術の提供にある。
【課題を解決するための手段】
【０００５】
上記課題点を解決するために、本発明では、基本的に、光ディスク装置において、光ヘッド内に、レーザーダイオードを駆動する第１の回路（該当実施例：符号２５１、２５２、２５３、２５０）と併せ、光ディスクからの反射レーザー光に基づくアナログ電気信号をサンプルホールドする第２の回路（該当実施例：符号２５７、２５８、２６０）と、該サンプルホールドした信号をデジタル信号に変換する第３の回路（該当実施例：符号２５９）とを備えた構成とする。また、上記第１の回路と、上記第２の回路と、上記第３の回路とを１つの基板内または１つのＩＣ内に形成した構成とする。具体的には、上記を基本構成とする光ヘッド及び光ディスク装置と、上記を経時的基本動作とする光ディスク装置の検出信号処理方法とを本発明として提案する。
【発明の効果】
【０００６】
本発明によれば、光ディスク装置において、高速記録再生にも対応でき、安定した記録再生動作が可能となる。
【発明を実施するための最良の形態】
【０００７】
以下、本発明の実施例につき、図面を用いて説明する。
図１は、本発明の第１の実施例としての光ディスク装置における光ヘッド内の回路構成例を示す図である。本第１の実施例は、アナログ電気信号をサンプルホールドする回路（以下、サンプルホールド回路という）と、アナログ電気信号をデジタル変換する回路とを、レーザーダイオード駆動回路（レーザーダイオードドライバ）内に設ける場合の例である。
【０００８】
図１において、２５はレーザーダイオード駆動回路、２５０は高周波発振器、２５１は、ＤＶＤ系光ディスクの記録再生用の信号とＣＤ系光ディスクの記録再生用の信号とをそれぞれのレーザーダイオードに向けて出力するＰｏｗｅｒ  ＤＡＣ、２５２はマルチパルスを発生するＴｉｍｅ  Ｇａｎｇｅｒ、２５３は、記録用Ｓｔｒａｔｅｇｙを生成しマルチパルスを発生させるタイミングを決めるＷＲ  ＳＴＲＡＴＥＧＹ、２５４はＭａｒｋ  Ｓｐａｃｅ  Ｄｅｔｅｃｔｏｒ、２５５はシリアルインターフェース、２５６は再生パワーを発生するためのＲｅａｄ  ＤＡＣ、２５７は再生信号をサンプルホールドするサンプルホールド回路、２５８はフロントモニタ検波回路からの出力をサンプルホールドするサンプルホールド回路、２５９は、サンプルホールド回路２５７、２５８からの出力をデジタル信号に変換するＡＤ変換回路、２３は、光学系の状態や、再生信号及びサーボ信号を検出するＩＣ（ＯＥＩＣ）、２４はレーザーパワー制御を行うための信号を検出するＦＭＤ（Ｆｒｏｎｔ  Ｍｏｎｉｔｏｒ  Ｄｅｔｅｃｔｏｒ）、４は制御部としてのＤＳＰ（Ｄｉｇｉｔａｌ  Ｓｉｇｎａｌ  Ｐｒｏｃｅｓｓｏｒ）、５３は該ＤＳＰ４中の記録制御部、４７は同シリアルインターフェース、１５はレーザーダイオード駆動回路２５とＤＳＰ４との間を接続するＦＰＣ（フレキシブルプリント基板）、１０１は記録中にレーザーダイオード駆動回路２５を記録可能状態にするＷＲゲート信号／ＷＲ、１０２は変調データであるＮＲＺＩ信号、１０３は、ＮＲＺＩ信号１０２に同期したクロック信号である。
【０００９】
上記ＮＲＺＩ信号１０２とクロック信号１０３はそれぞれ、高速化に対応すべく、ＬＶＤＳ（Ｌｏｗ  Ｖｏｌｔａｇｅ  Ｄｉｆｆｅｒｅｎｔｉａｌ  Ｓｉｇｎａｌｉｎｇ）のインターフェースで接続されている。レーザーダイオード駆動回路２５、ＯＥＩＣ２３及びＦＭＤ２４はいずれも光ヘッド内に設けられ、ＤＳＰ４は装置本体側の主基板（図示なし）内に設けられる。レーザーダイオード駆動回路２５は、光ヘッド内において１つのＩＣとして構成され、ＯＥＩＣ２３やＦＭＤ２４とともに１つの基板上に搭載されるとする。高周波発振器２５０、Ｐｏｗｅｒ  ＤＡＣ２５１、Ｔｉｍｅ  Ｇａｎｇｅｒ２５２及びＷＲ  ＳＴＲＡＴＥＧＹ２５３は第１の回路に該当し、サンプルホールド回路２５７、２５８は第２の回路に該当し、ＡＤ変換回路２５９は第３の回路に該当し、ＯＥＩＣ２３は第４の回路に該当し、ＦＭＤ２４は第５の回路に該当する。
【００１０】
上記構成において、記録時、ＯＥＩＣ２３からの検出信号（アナログ信号）は、サンプルホールド回路２５７に入力され、該サンプルホールド回路２５７でサンプルホールドされた後ＡＤ変換回路２５９に入力され、該ＡＤ変換回路２５９で時分割されたデジタル信号に変換される。また、ＦＭＤ２４からの検出信号（アナログ信号）は、サンプルホールド回路２５８に入力され、該サンプルホールド回路２５８でサンプルホールドされた後ＡＤ変換回路２５９に入力され、ＡＤ変換により時分割されたデジタル信号に変換される。これら変換されたデジタル信号は、シリアルインターフェース２５５を介し時分割でＤＳＰ４側に伝送される。ＤＳＰ４では、マイコン（図示なし）などとの間で情報をやり取りすることにより制御信号が形成される。該制御信号は、ＦＰＣ１５を経由してレーザーダイオード駆動回路２５に伝送される。
【００１１】
レーザーダイオード駆動回路２５内のＭａｒｋ  Ｓｐａｃｅ  Ｄｅｔｅｃｔｏｒ２５４は、ＷＲゲート信号／ＷＲ１０１、ＮＲＺＩ信号１０２、及びクロック信号１０３がそれぞれ入力され、ＮＲＺＩ信号１０２のマークの時間的長さを検出する。ＷＲ  ＳＴＲＡＴＥＧＹ２５３では該マークの時間的長さに対応したマルチパルスを発生するタイミングを決める。Ｔｉｍｅ  Ｇａｎｇｅｒ２５２では該タイミングに従いマルチパルスを発生する。マルチパルスはＰｏｗｅｒ  ＤＡＣ２５１に入力され、これに基づき、ＤＶＤ系光ディスクの記録再生用の信号とＣＤ系光ディスクの記録再生用の信号とをそれぞれのレーザーダイオードに向けて出力する。各レーザーダイオードではこれに基づくレーザー光を発生する。該レーザー光は光学系により集束等されて光ディスク（図示なし）の記録面に照射され該記録面に情報が記録される。Ｒｅａｄ  ＤＡＣ２５６で発生された再生パワーは、Ｐｏｗｅｒ  ＤＡＣ２５１経由でマルチパルスに重畳される。該マルチパルスは、高速記録対応のために、記録パワーを分割化し、光ディスク上に形成するマークまたはピットを高密度記録できるようにするためのものである。該パルスのレベルはパワー制御により多値（例えば２値〜４値）に変化される。
【００１２】
また、Ｔｉｍｅ  Ｇａｎｇｅｒ２５２からは、上記サンプルホールド回路２５７、２５８におけるサンプルホールドのタイミング信号が出力される。該Ｔｉｍｅ  Ｇａｎｇｅｒ２５２からの該タイミング信号は、ＯＥＩＣ２３やＦＭＤ２４の遅延時間を考慮して設定される。シリアルインターフェース１０５は、Ｅｎａｂｌｅ信号（ＳＥＮ）、クロック（ＳＣＫ）及びデータ（ＳＤＩＯ）3信号の伝送路から構成される。該データは双方向信号である。ＯＥＩＣ２３からの信号は，ランニングＯＰＣ（Ｒ−ＯＰＣ）に用いる。またＦＭＤ２４からの信号は、記録中の記録パワー制御（ＷＲＡＰＣ）に用いる。該２信号には、Ｒ−ＯＰＣに対応するＯＥＩＣ２３の出力は、光ディスク位置の感度むらや指紋等に対する高速変化に対応するため、高周波応答であることが要求される。一方、レーザーダイオードの温度によるＩ−Ｌ変化に対するＷＲＡＰＣの応答としては低周波応答で十分であるため、シリアルインターフェースで主基板に送るときのデータ量の切替え割合はＲＦ＞ＦＭＤであれば十分であり、ＲＦに対し１桁以上遅くても差し支えない。
【００１３】
図２は、図１の光ヘッドを用いた光ディスク装置の全体回路構成例を示す図である。
図２において、１は光ディスク、２は光ヘッド、３は装置本体側の主基板上のアナログフロントエンド（ＡＦＥ）、４はＤＳＰ、５はＤＲＡＭ、６はコネクタ、７は光ディスクを回転駆動するスピンドルモータ、８はコネクタ、９は光ヘッド２を光ディスク１の半径方向に移動させるためのスライダ、１０は，スピンドルモータ７や、スライダ９駆動用モータや、アクチュエータを駆動するための駆動信号を形成する駆動回路、１１はマイコン、２１は光ヘッド２内の光学系、２１ａは光学系２１内の対物レンズ、２２はレーザーダイオード、２３はＯＥＩＣ、２４はＦＭＤ、２５は、上記図１に示す構成のレーザーダイオード駆動回路、３１は、ＡＦＥ３内で各種信号の演算処理を行う演算部、３２は再生信号処理部（ＲＦ）、３３はウォブル信号処理部（ＷＯＢ）、３４はサーボ信号処理部（ＳＲＶ）、４１は、ＲＦ信号（アナログ信号）を二値化した後、同期化したデジタル信号に変えるＤＳＬ／ＤＰＬＬ回路、４２は、ＤＶＤ系信号またはＣＤ系信号を復調するＤＶＤ／ＣＤ  Ｄｅｃｏｄｅｒ、４３は、ウォブル信号に含まれるアドレスデータのＡＤＩＰ（Ａｄｄｒｅｓｓ  Ｄａｔａ  ｉｎ  Ｐｒｅ−ｐｉｔ）を検出するためのＬＰＰ／ＡＤＩＰ回路、４４は基準クロックを生成するＲＰＬＬ（Ｐｈａｓｅ  Ｌｏｃｋｅｄ  Ｌｏｏｐ  ｆｏｒ  Ｒｅｆｅｒｅｎｃｅ  ｃｌｏｃｋ）回路、４５はサーボ信号をデジタル信号に変換するＡＤ変換回路、４６はサーボ回路、４７はシリアルインターフェース、４８はサンプリングタイミング信号発生回路、４９はデジタル信号をアナログ信号に変換するＤＡ変換回路、５０はスピンドルモータの回転を制御するモータ制御回路、５１は、記録に必要なＮＲＺＩ信号をレーザーダイオード駆動回路２５に供給するためのＣＤ／ＤＶＤ  Ｅｎｃｏｄｅｒ、５２はＡＴＡＰＩ回路である。光学系２１、レーザーダイオード２２、ＯＥＩＣ２３、ＦＭＤ２４及びレーザーダイオード駆動回路２５は、光ヘッド２内に構成される。レーザーダイオード駆動回路２５は、上記図１の構成を有し、内部にサンプルホールド回路２５７、２５８及びＡＤ変換回路２５９を備える。
【００１４】
上記構成において、光ディスク１は、スピンドルモータ７により、ＣＡＶ（Ｃｏｎｓｔａｎｔ  Ａｎｇｕｌａｒ  Ｖｅｌｏｃｉｔｙ）制御状態や、ＣＬＶ（Ｃｏｎｓｔａｎｔ  Ｌｉｎｅａｒ  Ｖｅｌｏｃｉｔｙ）制御状態で回転される。スピンドルモータ７は、モータ制御回路５０と駆動回路１０によって回転状態を制御される。光ディスク１としては、ＤＶＤ−Ｒ、ＤＶＤ＋Ｒ、ＣＤ−Ｒなど有機色素を主体とする記録膜が表面に形成されたものや、ＤＶＤ−ＲＡＭ、ＤＶＤ−ＲＷ、ＤＶＤ＋ＲＷ、ＣＤ−ＲＷなど相変化記録膜が形成された書換え可能型のディスクなどがある。ＤＶＤ−ＲＡＭの場合はＬａｎｄ／Ｇｒｏｏｖｅが予め形成され、ＤＶＤ−Ｒ、ＤＶＤ＋Ｒ、ＣＤ−Ｒ、ＤＶＤ−ＲＷ、ＤＶＤ＋ＲＷ、ＣＤ−ＲＷなどの場合はＧｒｏｏｖｅが形成されている。各トラックピッチは、ＤＶＤ−ＲＡＭの２Ｘフォーマット対応では０．６１５ｕｍ、ＤＶＤ−Ｒ／ＲＷ、ＤＶＤ＋Ｒ／ＲＷでは０．７４ｕｍ、ＣＤ−Ｒ／ＲＷでは１．６ｕｍである。レーザーダイオード２２としては、ＤＶＤ系光ディスク用の波長６５０ｎｍの赤色レーザー光を発生するものと、ＣＤ系光ディスク用の波長７８０ｎｍの赤外レーザー光を発生するものとが搭載される。レーザーダイオード駆動回路２５は、ＤＳＰ４から供給される信号に基づきレーザーダイオードを駆動して高速、高出力のレーザーパワーを発生させる。スライダ９はステップモータ（図示なし）により駆動され、光ヘッド２を光ディスク１の半径方向に移動させ、高速アクセスができるようになっている。
【００１５】
記録時は、レーザーダイオード２２から出たレーザー光は、光学系２１で平行光にされた後、対物レンズ２１ａで光ディスク１上に１×１０−６ｍ程度の光スポットに集束された状態で照射される。このとき、記録膜上に０．５×１０−６ｍ以下の寸法のマークを形成するために、ＤＶＤ系レーザーダイオードの場合は、１０×１０−３Ｗ以上のパワーで発光が行われ、ＣＤ系レーザーダイオードの場合は、２０×１０−３Ｗ以上のパワーで発光が行われる。
【００１６】
また、再生時は、レーザーダイオード２２を比較的に低出力で駆動し、光ディスク１からの反射光を対物レンズ２１ａから取込み、光学系２１を経由してＯＥＩＣ２３へ導き、再生信号（ＲＦ信号）やサーボ信号を検出する。対物レンズ２１ａはアクチュエータに取り付けられ、光ディスク１の上下振れに対してはフォーカスコイル（図示なし）を駆動し、ディスクの偏心に対する追跡にはトラッキングコイル（図示なし）を駆動し、また、光ディスク１やスピンドルモータ７の相対的な傾き（チルト）を吸収するためには、チルトコイル（図示なし）を駆動して、常に正常な信号を取り込むことができるようにする。ＯＥＩＣ２３で検出された信号は、光ヘッド２から、ＦＦＣ（Ｆｌｅｘｉｂｌｅ  Ｆｌａｔ  Ｃａｂｌｅ）やコネクタ８を介して主基板上のＡＦＥ３のＩＣに導かれるとともに、レーザーダイオード駆動回路２５に導かれる。ＡＦＥ３内では、演算部３１で演算が行われ、高周波の再生信号（ＲＦ信号）と、ウォブル信号と、サーボ信号とが生成される。また、ＦＭＤ２４で検出された信号は、ＡＦＥ３には入力されずにレーザーダイオード駆動回路２５に導かれ、パワー制御用として用いられる。
【００１７】
記録動作中には、ＯＥＩＣ２３からはマーク形成中のパルス光から反射光信号が得られ、演算部３１のブロックでは該反射光信号のうち、再生パワーレベルを検出し、記録時も、再生時と同じ振幅となるように制御することにより、サーボ系の安定化を図る。ＦＭＤからの信号は、記録中は記録パルス間の再生パワーレベルと、記録パルスピークとを検出し、該検出結果をレーザーダイオード駆動回路２５に導く。再生信号処理部３２は、ＡＧＣ回路、波形等化回路、ＬＰＦ回路などから構成され、ＤＶＤ及びＣＤの各種光ディスクからの信号の品質が一定となるように制御する。ウォブル信号は、予め各種ディスクのＧｒｏｏｖｅやＬａｎｄ／Ｇｒｏｏｖｅを高周波でうねらせているために、トラッキング信号と同様な信号処理で得ることができる。トラッキング信号の帯域はせいぜい１０ｋHzであるが、ウォブル信号は、ＤＶＤ−ＲＡＭ／Ｒ／ＲＷの場合、２倍速の記録時には約３１５ｋＨｚで、ＤＶＤ＋Ｒ／ＲＷの場合は約８００ｋＨＺである。該両信号は周波数差が大きいため、通常はＢＰＦ回路でウォブル信号が検出される。
【００１８】
ＡＦＥ３で検出されたＲＦ信号、ウォブル信号及びサーボ信号はそれぞれ、ＤＳＰ４に入力される。ＤＳＰ４内では、ＲＦ信号はＤＳＬ／ＤＰＬＬ回路４１に導かれ、ここで、アナログ信号が二値化され、その後、自己同期型ＤＰＬＬ（Ｓｅｌｆ−ｃｌｏｃｋｉｎｇ  ｔｙｐｅ  Ｐｈａｓｅ  ｌｏｃｋｅｄ  ｌｏｏｐ  ｆｏｒ  Ｄａｔａ）で同期化されたデジタル信号とされる。さらに該デジタル信号は、ＤＶＤまたはＣＤの復調回路（Ｄｅｃｏｄｅｒ）に導かれ、ここで、オリジナルデータとして生成される。該生成されたデータは、ＡＴＡＰＩ回路５２から、コネクタ６などを介してパソコン（図示なし）に送られる。
【００１９】
ウォブル信号は、ＤＳＰ４内のＲＰＬＬ（Ｐｈａｓｅ  ｌｏｃｋｅｄ  ｌｏｏｐ  ｆｏｒ  Ｒｅｆｅｒｅｎｃｅ  ｃｌｏｃｋ）回路４４と、ＬＰＰ／ＡＤＩＰ回路４３とに送られる。ＰＲＬＬ回路４４ではウォブル信号に同期した記録用の基準クロックが生成される。ＲＰＬＬ回路４４からの該基準クロックは、記録時にＤＳＰ４内の復調回路すなわちＤＶＤ／ＣＤ  Ｄｅｃｏｄｅｒ４２に導かれる。また、ウォブル信号は、例えばＤＶＤ−Ｒ／ＲＷなどの光ディスクでは、アドレスデータであるＬＰＰ（Ｌａｎｄ  Ｐｒｅ−Ｐｉｔ）や、ＤＶＤ＋Ｒ／ＲＷなどの光ディスクでは同様に、アドレスデータであるＡＤＩＰ（Ａｄｄｒｅｓｓ  Ｉｎ  Ｇｒｏｏｖｅ）を含んでいる。ＬＰＰ／ＡＤＩＰ回路４３では、これらのアドレスデータ（ＬＰＰ、ＡＤＩＰ）が検出される。該アドレスデータは記録時にも再生時にも使用される。
【００２０】
また、サーボ信号は、ＤＳＰ４内ではＡＤ変換回路４５に入力される。該ＡＤ変換回路４５では、上記ＡＦＥ３で演算されたアナログ信号のフォーカス信号、トラッキング信号等が二値化される。さらにその後、サーボ回路４６でデジタル処理がなされる。該デジタル処理としては、増幅、位相補償、加算などが行われる。これらのデジタル信号は、再度、アクチュエータを駆動してサーボ制御を行うべく、ＤＡ変換回路４９を通過し、駆動回路１０に導かれ、該駆動回路１０を制御駆動する。駆動回路１０は駆動信号によりアクチュエータを駆動する。また、ＤＳＰ４内にはサンプリングタイミング信号発生回路４８があり、ＲＰＬＬ４４の記録クロックでＯＥＩＣ２３からの信号やＦＭＤ２４からの信号をサンプルホールドするために、ＡＦＥ３の演算部３１に導かれる。記録するために必要な変調データＮＲＺＩ信号は、ＣＤ／ＤＶＤ  Ｅｎｃｏｄｅｒ５１から供給され、また、この信号に同期した記録クロック信号はＲＰＬＬ４４から供給される。さらに、レーザーダイオード駆動回路２５内で、ＷＲ  ＳＴＲＡＴＥＧＹ２５３を生成するために必要なＲＡＭデータは、ＤＳＰ４から、レーザーダイオード駆動回路２５に対してシリアルインターフェース４７経由で送られる。なお、ＲＡＭデータはマイコン１１から送られる。
【００２１】
上記第１の実施例によれば、光ディスク装置において、光ヘッド２のアナログ検出信号を該光ヘッド２内でサンプルホールドしかつデジタル化し、該デジタル化した信号を装置本体側の制御部としてのＤＳＰ４に時分割で伝送する構成としているため、伝送路上においてインピーダンスやノイズなどの影響を受けにくく、波形歪を抑えた状態での信号伝送が可能となる。このため、高速記録再生への対応も可能となる。特に、サンプルホールド回路２５７、２５８とＡＤ変換回路２５９とを、レーザーダイオード駆動回路２５内に設けているため、該レーザーダイオード駆動回路２５から、遅延のないサンプリング用タイミングパルスを出力することができ、この点からも高速記録再生への対応が一層し易くなる。
【００２２】
図３は、本発明の第２の実施例としての光ディスク装置における光ヘッド内の回路構成例を示す図である。本第２の実施例も、サンプルホールド回路と、ＡＤ変換回路とを、レーザーダイオード駆動回路内に設ける場合の例であるが、再生信号用のサンプルホールド回路と、フロントモニタ検波回路（ＦＭＤ）出力用のサンプルホールド回路とを１つの共用回路としている点で上記第１の実施例と異なる。
【００２３】
図３において、２５'はレーザーダイオード駆動回路、２６０は、ＯＥＩＣ２３からの再生信号のサンプルホールドとＦＭＤ２４からの出力のサンプルホールドとに共用されるサンプルホールド回路、２６１は、再生信号とフロントモニタ検波回路からの出力信号とを切換える切換え回路（スイッチ回路）である。他部の構成は上記第１の実施例と同様であるため、該第１の実施例の場合と同じ符号を付すとする。ＯＥＩＣ２３からの信号とＦＭＤ２４からの信号は、切換え回路２６１で切換えられてサンプルホールド回路２６０に入力される。該切換えは、Ｔｉｍｅｒ  Ｇａｎｇｅｒ２５２から出力されるタイミング信号により行う。サンプルホールド回路２６０では、ＯＥＩＣ２３から再生信号が入力されているときは該再生信号をサンプルホールドし、ＦＭＤ２４からの信号が入力されているときは該信号をサンプルホールドする。サンプルホールドされた信号（アナログ信号）はＡＤ変換回路２５９に入力され、該ＡＤ変換回路２５９でデジタル信号に変換される。他部の機能及び動作は上記第１の実施例の場合と同じである。レーザーダイオード駆動回路２５'も、光ヘッド内において１つのＩＣとして構成され、ＯＥＩＣ２３やＦＭＤ２４とともに１つの基板上に搭載されるとする。高周波発振器２５０、Ｐｏｗｅｒ  ＤＡＣ２５１、Ｔｉｍｅ  Ｇａｎｇｅｒ２５２及びＷＲ  ＳＴＲＡＴＥＧＹ２５３は第１の回路に該当し、サンプルホールド回路２６０は第２の回路に該当し、ＡＤ変換回路２５９は第３の回路に該当し、ＯＥＩＣ２３は第４の回路に該当し、ＦＭＤ２４は第５の回路に該当し、切換え回路２６１は第６の回路に該当する。
【００２４】
上記第２の実施例によっても、上記第１の実施例の場合と同様、光ディスク装置において、光ヘッド２から装置本体側のＤＳＰ４に至る伝送路上においてインピーダンスやノイズなどの影響を受けにくく、波形歪を抑えた状態での信号伝送が可能となり、高速記録再生への対応が可能となる。また、サンプルホールド回路２６０とＡＤ変換回路２５９とを、レーザーダイオード駆動回路２５'内に設けているため、該レーザーダイオード駆動回路２５から、遅延のないサンプリング用タイミングパルスを発生させることができ、この点からも高速記録再生への対応が一層容易となる。
【００２５】
なお、上記実施例ではマイコン１１をＤＳＰ４の外部に設ける構成としたが、本発明はこれには限定されず、ＤＳＰ４の内部に設けてもよいし、またはＤＳＰ４の内部と外部の両方に設けてもよい。
【図面の簡単な説明】
【００２６】
【図１】本発明の第１の実施例としての光ディスク装置における光ヘッド内の回路構成例を示す図である。
【図２】図１の光ヘッドを用いた光ディスク装置の全体回路構成例を示す図である。
【図３】本発明の第２の実施例としての光ディスク装置における光ヘッド内の回路構成例を示す図である。
【符号の説明】
【００２７】
１…光ディスク、
２…光ヘッド、
３…ＡＦＥ、
４…ＤＳＰ、
５…ＤＲＡＭ、
６、８…コネクタ、
７…スピンドルモータ、
９…スライダ、
１０…駆動回路、
１１…マイコン、
１５…ＦＰＣ、
２１…光学系、
２１ａ…対物レンズ、
２２…レーザーダイオード、
２３…ＯＥＩＣ、
２４…ＦＭＤ、
２５、２５'…レーザーダイオード駆動回路、
４７、２５５…シリアルインターフェース、
２５１…Ｐｏｗｅｒ  ＤＡＣ、
２５２…Ｔｉｍｅ  Ｇａｎｇｅｒ、
２５３…ＷＲ  ＳＴＲＡＴＥＧＹ、
２５４…Ｍａｒｋ  Ｓｐａｃｅ  Ｄｅｔｅｃｔｏｒ、
２５６…Ｒｅａｄ  ＤＡＣ、
２５７、２５８、２６０…サンプルホールド回路、
２５９…ＡＤ変換回路、
２６１…切換え回路。
【図１】
2005038572.tif 000003
【図２】
2005038572.tif 000004
【図３】
2005038572.tif 000005